(57)【要約】【課題】  色合いなどの誤差が問題となるような品質の落ちるＣＣＤや品質の落ちるアナログ回路を使用する場合には、色合いなどの誤差に対応できないことがある。【解決手段】  本件発明は、上記課題に鑑みなされたものであり、本件発明の多分割読出ＣＣＤの補正近似直線群情報生成方法・装置及び多分割読出ＣＣＤの補正処理装置製造方法・装置は、調整段階において、あらかじめ生成された複数の第一次補正近似直線群情報から、補正に最適な一の本番用補正近似直線群情報を生成する。したがって、撮影時に、全画素について、一の本番用補正近似直線群情報を利用して、画素の種類ごとに補正を行うことができる。【選択図】  図１
2006166080.tif 000002
【特許請求の範囲】
【請求項１】
ＣＣＤの画素の種類に応じた出力に基づいて得られる画素用出力値を補正するための多分割読出ＣＣＤの補正近似直線群情報生成方法であって、
前記ＣＣＤの画素の種類に応じて複数の補正用光源色を選択する補正用光源色選択ステップと、
前記補正用光源色選択ステップにて選択された補正用光源色を前記ＣＣＤに照射する補正用光源色照射ステップと、
前記補正用光源色照射ステップにて照射された補正用光源色に基づいて、第一次補正近似直線群情報を生成する第一次補正近似直線群情報生成ステップと、
前記第一次補正近似直線群情報生成ステップにて生成された複数の第一次補正近似直線群情報に基づいて前記画素の種類ごとに一の本番用補正近似直線群情報を生成する本番用補正近似直線群情報生成ステップと、
を有する多分割読出ＣＣＤの補正近似直線群情報生成方法。
【請求項２】
ＣＣＤの画素の種類に応じた出力に基づいて得られる画素用出力値を補正するための多分割読出ＣＣＤの補正処理装置製造方法であって、
補正処理装置が補正すべきＣＣＤを準備するＣＣＤ準備ステップと、
前記ＣＣＤの画素の種類に応じて複数の補正用光源色を選択する補正用光源色選択ステップと、
前記補正用光源色選択ステップにて選択された補正用光源色を前記ＣＣＤに照射する補正用光源色照射ステップと、
前記補正用光源色照射ステップにて照射された補正用光源色に基づいて、第一次補正近似直線群情報を生成する第一次補正近似直線群情報生成ステップと、
前記第一次補正近似直線群情報生成ステップにて生成された複数の第一次補正近似直線群情報に基づいて前記画素の種類ごとに一の本番用補正近似直線群情報を生成する本番用補正近似直線群情報生成ステップと、
前記本番用補正近似直線群情報生成ステップにて得られた本番用補正近似直線群情報を前記ＣＣＤと関連付けて補正処理装置を構成すべき記憶部に保存する保存ステップと、
を有する多分割読出ＣＣＤの補正処理装置製造方法。
【請求項３】
ＣＣＤの画素の種類に応じた出力に基づいて得られる画素用出力値を補正するための多分割読出ＣＣＤの補正近似直線群情報生成装置であって、
ＣＣＤの画素の種類に応じて複数の補正用光源色を選択する補正用光源色選択部と、
前記補正用光源色選択部にて選択された補正用光源色を前記ＣＣＤに照射する補正用光源色照射部と、
前記補正用光源色照射部にて照射された補正用光源色に基づいて、前記分割読出ブロック間での出力差を補正用光源色ごとに算出する出力差算出部と、
前記出力差算出部で算出された出力差に基づいて補正用光源色ごとの第一次補正近似直線群情報を生成する第一次補正近似直線群情報生成部と、
前記第一次補正近似直線群情報生成部にて生成された複数の第一次補正近似直線群情報に基づいて前記画素の種類ごとに一の本番用補正近似直線群情報を生成する本番用補正近似直線群情報生成部と、
を有する多分割読出ＣＣＤの補正近似直線群情報生成装置。
【請求項４】
ＣＣＤの画素の種類に応じた出力に基づいて得られる画素用出力値を補正するための多分割読出ＣＣＤの補正処理装置製造装置であって、
補正処理装置が補正すべきＣＣＤを準備するＣＣＤ準備部と、
前記ＣＣＤの画素の種類に応じて複数の補正用光源色を選択する補正用光源色選択部と、
前記補正用光源色選択部にて選択された補正用光源色を前記ＣＣＤに照射する補正用光源色照射部と、
前記補正用光源色照射部にて照射された補正用光源色に基づいて、第一次補正近似直線群情報を生成する第一次補正近似直線群情報生成部と、
前記第一次補正近似直線群情報生成部にて生成された複数の第一次補正近似直線群情報に基づいて前記画素の種類ごとに一の本番用補正近似直線群情報を生成する本番用補正近似直線群情報生成部と、
前記本番用補正近似直線群情報生成部にて得られた本番用補正近似直線群情報を前記ＣＣＤと関連付けて補正処理装置に保存する保存部と、
を有する多分割読出ＣＣＤの補正処理装置製造装置。
【発明の詳細な説明】
【技術分野】
【０００１】
本発明は、多分割読出ＣＣＤの補正近似直線群情報生成方法・装置及び多分割読出ＣＣＤの補正処理装置製造方法・装置に関する。
【背景技術】
【０００２】
近年、ビデオやカメラなどに使用するＣＣＤの多画素化に伴い、これら多数の画素を所定時間内に読み出す必要が生じてきた。そしてＣＣＤの多画素化に対応した高速読み出し方式の一つとして、ＣＣＤの全画素を複数の領域に分割し、分割した領域の画素を並列に読み出す多分割読み出し方式が提案されている。この方法は、ＣＣＤの受光部を複数のブロックに分割し、これに応じて水平方向の水平転送部も複数に分割して各画素に対応した電荷を転送するものである。しかしこの複数ブロックに分割して電荷を出力するＣＣＤにおいて、それぞれのブロック間の信号経路が異なることにより、分割されたブロックを一つの画面に再構成する際に、ブロック間に画素用出力値のレベル差が生じてしまう。このレベル差は、主に、回路の物理的性質による差によって生じる。その差は、それぞれのＣＣＤ固有の値をとる。かつ、その分割ブロック間のレベル差は、受光部の受光量に比例することが知られている。そこで特許文献１に開示されているように、それぞれのブロックの画素用出力値を増幅する増幅部のゲインを補正することによってそれぞれのブロック間に生じる画素用出力値のレベル差を補償する方法が提案されている。
【特許文献１】特開２００２−３２０１４２
【発明の開示】
【発明が解決しようとする課題】
【０００３】
しかし、特許文献１に開示されている方法は、全画素に共通の単一の補正近似直線群情報を利用して、各画素の受光量により、ブロック間に生じる画素用出力値のレベル差を補正するものである。したがって、色合いなどの誤差がほとんど生じないような品質のよいＣＣＤや品質のよいアナログ回路を用いた場合には有効であるが、色合いなどの誤差が問題となるような品質の落ちるＣＣＤや品質の落ちるアナログ回路を使用する場合には、色合いなどの誤差に対応できないことがある。なぜならば、ＣＣＤの各画素は、画素の種類ごとにユニークな補正特性を持っているからである。
【課題を解決するための手段】
【０００４】
本件発明は、上記課題に鑑みなされたものである。本件発明の多分割読出ＣＣＤの補正近似直線群情報生成方法・装置及び多分割読出ＣＣＤの補正処理装置製造方法・装置は、調整段階において、装置ごとに複数の第一次補正近似直線群情報を生成する。生成された複数の第一次補正近似直線群情報から、最適な一の本番用補正近似直線群情報が生成される。したがって、撮影時に、全画素について、一の本番用補正近似直線群情報を利用して、画素の種類ごとに補正を行うことができる。
第一の発明は、ＣＣＤの画素の種類に応じた出力に基づいて得られる画素用出力値を補正するための多分割読出ＣＣＤの補正近似直線群情報生成方法であって、前記ＣＣＤの画素の種類に応じて複数の補正用光源色を選択する補正用光源色選択ステップと、前記補正用光源色選択ステップにて選択された補正用光源色を前記ＣＣＤに照射する補正用光源色照射ステップと、前記補正用光源色照射ステップにて照射された補正用光源色に基づいて、第一次補正近似直線群情報を生成する第一次補正近似直線群情報生成ステップと、前記第一次補正近似直線群情報生成ステップにて生成された複数の第一次補正近似直線群情報に基づいて前記画素の種類ごとに一の本番用補正近似直線群情報を生成する本番用補正近似直線群情報生成ステップと、を有する多分割読出ＣＣＤの補正近似直線群情報生成方法に関する。
第二の発明は、ＣＣＤの画素の種類に応じた出力に基づいて得られる画素用出力値を補正するための多分割読出ＣＣＤの補正処理装置製造方法であって、補正処理装置が補正すべきＣＣＤを準備するＣＣＤ準備ステップと、前記ＣＣＤの画素の種類に応じて複数の補正用光源色を選択する補正用光源色選択ステップと、前記補正用光源色選択ステップにて選択された補正用光源色を前記ＣＣＤに照射する補正用光源色照射ステップと、前記補正用光源色照射ステップにて照射された補正用光源色に基づいて、第一次補正近似直線群情報を生成する第一次補正近似直線群情報生成ステップと、前記第一次補正近似直線群情報生成ステップにて生成された複数の第一次補正近似直線群情報に基づいて前記画素の種類ごとに一の本番用補正近似直線群情報を生成する本番用補正近似直線群情報生成ステップと、前記本番用補正近似直線群情報生成ステップにて得られた本番用補正近似直線群情報を前記ＣＣＤと関連付けて補正処理装置を構成すべき記憶部に保存する保存ステップと、を有する多分割読出ＣＣＤの補正処理装置製造方法に関する。
【発明の効果】
【０００５】
本件発明の多分割読出ＣＣＤの補正近似直線群情報生成方法・装置及び多分割読出ＣＣＤの補正処理装置製造方法・装置によれば、装置ごとに複数の第一次補正近似直線群情報を生成することができる。そして生成された複数の第一次補正近似直線群情報から、最適な一の本番用補正近似直線群情報が生成される。したがって、撮影時に、全画素について、一の本番用補正近似直線群情報を利用して、画素の種類ごとに補正を行うことができる。
【発明を実施するための最良の形態】
【０００６】
以下に本件発明の実施形態を説明する。実施形態と、請求項との関係はおおむね次のようなものである。
実施形態１は、主に、請求項１、請求項３などについて説明している。
実施形態２は、主に、請求項２、請求項４などについて説明している。
以下に、図を用いて本発明の実施の形態を説明する。なお、本発明はこれら実施の形態に何ら限定されるものではなく、その要旨を逸脱しない範囲において、種々なる態様で実施しうる。
【０００７】
<<実施形態１>>
以下に、実施形態１について説明する。
<実施形態１の概念>
以下に本実施形態の概念について説明する。ＣＣＤの分割ブロック間の画素用出力値（後述する）の補正を行う場合には、基本的には、調整段階において、工場で装置一台一台に適切な補正近似直線群情報を埋め込む必要がある。本実施形態は、上記適切な補正近似直線群情報の生成方法・装置に関する。
図１５は、本実施形態の概念の一例を示す図である。工場出荷前の調整段階において、多分割読出ＣＣＤの補正近似直線群情報生成装置１５０１は、デジタルカメラなどの多分割ＣＣＤ１５０２に対して補正用光源色（例えば赤、緑、青など）を照射し、画素用出力値（後述する）をＣＣＤから取得する。次に取得した分割ブロック間の画素用出力値の出力差に基づいて、複数（例えば赤、緑、青など）の第一次補正近似直線群情報を生成する。次に、複数（例えば赤、緑、青など）の第一次補正近似直線群情報から最適な一の本番用補正近似直線群情報を生成する。ここで複数の第一次直線群情報から一の本番用補正近似直線群情報を生成する目的は、画素用出力値（色成分、キャリア成分ともいう）の比によって、どの色の第一次補正近似直線群情報に近いかが異なるためである。例えば、後述する補色フィルタに関して画素の種類Ｃ１の本番用補正近似直線群情報を生成する場合に、赤と緑の第一次補正近似直線群情報から生成するとよい。なぜならば、画素の種類Ｃ１とＣ２の画素用出力値の比によって、赤らしい色に補正するのがよいのか、緑らしい色に補正するのがよいのか異なるためである。すなわち赤らしい色に補正したい場合には、赤の第一次補正近似直線群情報に近い方に本番用補正近似直線群情報を生成し、緑らしい色に補正したい場合には、緑の第一次補正近似直線群情報に近い方に本番用補正近似直線群情報を生成するとよい。
【０００８】
（補正近似直線群情報の概念）
以下に、本件発明で利用する補正近似直線群情報の概念の一例について説明する。
図１、図２、図３は、補正近似直線群情報の概念の一例を説明するための図であり、左右にＣＣＤを２分割する場合について説明している。
図１は、補正近似直線群情報を利用すべき画素であり、かつ補正近似直線群情報の生成に利用する画素について説明するための一例を示す図である。２分割ＣＣＤ（０１００）は、左ブロックのＬ−ＣＣＤ（０１０１）と、右ブロックのＲ−ＣＣＤ（０１０２）と、からなる。Ｌ−ＣＣＤは画素Ａ（０１０３）を有し、Ｒ−ＣＣＤは画素Ｂ（０１０４）を有している。ここで画素Ａ（０１０３）と画素Ｂ（０１０４）が同じ種類の画素（例えば、補色フィルタのＣ１：Ｍｇ＋Ｙｅ）とする。また画素Ａの画素用出力値をａ、画素Ｂの画素用出力値をｂとする。このＣＣＤの特性上、画素用出力値ａとｂには、ゲイン差があるので、このゲイン差を解消するために、ａにＫを加算すれば良いことがわかっている。つまり、補正後の画素Ａの画素用出力値ｄ＝ａ＋Ｋと表され、このＫを画素Ａの受光量に応じてプロットしたものが補正近似直線群情報である。
図２は、上記作成された補正近似直線群情報の概念の一例を示すための図である。入力値に基づいて左ブロックの画素Ａの画素用出力値ａ１を補正する場合には、図２より、ＫはＫ１となるので、画素用出力値ａ１にＫ１を加算すれば（補正後の画素Ａの画素用出力値ｄ１＝ａ１＋Ｋ１）、右ブロックの画素Ｂの画素用出力値ｂ１と同等のディスプレイからの出力となる。
図３は、補正近似直線群情報を用いて補正を行う場合のＣＣＤ画素と補正後の値との対応関係の一例を示す図である。ＣＣＤ画素番号、画素の種類、画素用出力値、利用する補正近似直線群情報、補正用の値、補正後の値で一組になっている。例えば、ＣＣＤ画素番号１００００の画素は、画素の種類がＣ１のときの画素用出力値がａ１であり、画素の種類に応じて定められる一の補正近似直線群情報がｆ１であることを示している。そして一の補正近似直線群情報を利用して求められた補正用の値が＋Ｋ１、画素用出力値の補正後の値がａ１＋Ｋ１であることを示している。
【０００９】
<構成要件の明示>
以下に、本実施形態の構成要件について説明をする。
図１６は、本実施形態の多分割読出ＣＣＤの補正近似直線群情報生成装置の機能ブロック図の一例を示す図である。本実施形態の多分割読出ＣＣＤの補正近似直線群情報生成装置１６００は、補正用光源色選択部１６０１と、補正用光源色照射部１６０２と、出力差算出部１６０３と、第一次補正近似直線群情報生成部１６０４と、本番用補正近似直線群情報生成１６０５と、からなる。
【００１０】
<構成要件の説明>
構成要件の説明に入る前に、ＣＣＤ（Ｃｈａｒｇｅ  Ｃｏｕｐｌｅｄ  Ｄｅｖｉｃｅｓ）の概略について説明する。
（ＣＣＤ）
「ＣＣＤ」とは、光を光電効果によって電荷に変換する撮像素子のことをいう。
図５は、一般的なＣＣＤの概念を示すための図である。ＣＣＤ０５００は、一般的に、受光部０５０１と、垂直転送部０５０２と、水平転送部０５０３と、を有している。ＣＣＤの構造は、輝度（光の信号強度）を認識するフォトダイオード（受光素子）が縦横に規則的に配列されており、電荷方式および転送方式の違いにより、フレームトランスファ型やインターライントランスファ型、フルフレームトランスファ型、フレームインターライントランスファ型などに分類される。複数の受光素子からなる受光部は、被写体からの光を受光し、受光した光を光電効果によって電荷に変換する。変換された電荷は、垂直転送部に転送される。垂直転送部に転送された電荷は、最初の１ライン０５０４（図５の点線で囲んだ部分で、行ともいう）分が水平転送部へ転送される。水平転送部は、転送された１ライン分の電荷を、一走査線に相当する電荷として、信号増幅回路などに出力する。水平転送部から信号増幅回路などに電荷が転送されると、次の１ライン分の電荷が垂直転送部から水平転送部に転送される。これらの動作が、垂直転送部の全ラインについて行われるまで順次繰り返される。このようにしてＣＣＤは、所定の時間内にすべての電荷の転送を終了し、１フレーム分（あるいは１フィールド分）の電荷を出力する。例えば、ＣＣＤがビデオカメラなど動画を記録する記録装置の撮像部分に使用される場合には、１フレーム分の電荷の転送は、１／３０秒以下の時間内に終了する。そしてＣＣＤから出力された電荷は、信号増幅回路にて所定の画素用出力値まで増幅され、必要な画像処理が諸回路にて行われる。
【００１１】
ここで受光素子は、光の強度情報しか有することができないので、色情報が得られない（つまり電荷の量（本明細書においては画素用出力値（後述する）ともいう）しか保存することができない）。そこでカラーを表現するためにＣＣＤは、原色フィルタや補色フィルタなどを使って光を色分解し、複数の画素の色情報を組み合わせることによって色情報を生成するように構成されている（例えば図５の点線で囲んだ部分０５０５は、補色フィルタが複数の受光素子により一つの色を表現していることを示している）。ここで「原色フィルタ」とは、光の３原色であるＲ（Ｒｅｄ：赤）、Ｇ（Ｇｒｅｅｎ：緑）、Ｂ（Ｂｌｕｅ：青）のフィルタのことをいう。例えば、ＣＣＤの受光素子は、前述のように色を識別することができないため、デジタルカメラでは、色情報を得るために光の３原色であるＲＧＢのフィルタが装着されている。さらにＣＣＤ上の画素毎につけられている色フィルタの配列パターンは、通常、ＲＧＢの原色フィルタであっても、ＲＧＢの順番に綺麗に並んでいるわけではなく、人間の目に最も反応しやすいＧｒｅｅｎを他の２色の２倍取っている場合が多い。原色フィルタは色が鮮やかに出るのが特徴である。しかしながら低解像度のＣＣＤの場合、撮影した画像を拡大すると、この配列パターンがノイズとなって顕在化するケースもある。また原色フィルタは光の透過率が悪く、一般に低感度となる傾向がある。次に「補色フィルタ」とは、光の３原色の補色であるＣｙ（Ｃｙａｎ：シアン、Ｇｒｅｅｎ＋Ｂｌｕｅ）、Ｍｇ（Ｍａｇｅｎｔａ：マゼンタ、Ｂｌｕｅ＋Ｒｅｄ）、Ｙｅ（Ｙｅｌｌｏｗ：黄、Ｇｒｅｅｎ＋Ｒｅｄ）に、Ｇ（Ｇｒｅｅｎ：）を加えたフィルタのことをいう（図５の点線で囲んだ部分０５０５を参照）。補色フィルタを使用する場合には、Ｃｙａｎ、Ｍａｇｅｎｔａ、Ｙｅｌｌｏｗの画素用出力値から演算を行って、Ｒｅｄ、Ｇｒｅｅｎ、Ｂｌｕｅの画素用出力値を生成する。補色フィルタでは、いったん演算を行ってからＲＧＢを再現するため、色再現にロスが発生し、原色フィルタのような鮮やかなトーンにはならず、色乗りが悪いトーンとなる特徴を有する。また、演算の過程で階調が狭くなり、硬いトーンになる。しかし補色フィルタは光の透過率が高い上、人間の目にとって最も多く輝度情報が含まれる緑を加えて演算するため、一般に高感度となる。また、補色フィルタは画像生成の段階でシャープネスが算出しやすい特性があるため、一般に解像度が高くなる。例えば、補色フィルタＣＣＤを搭載したデジタルカメラの画像は、一般的な傾向として、シャープネスが高く、落ち着いた色合いになりやすい。
【００１２】
以下に、本実施形態の構成要件について説明する。
（補正用光源色選択部）
「補正用光源色選択部」は、ＣＣＤの画素の種類に応じて複数の補正用光源色を選択するように構成されている。ここで「補正用光源色」とは、第一次補正近似直線群情報（後述する）を生成するために利用される光源の色のことをいう。補正用光源色には、一例として、白、赤、緑、青、黄などが挙げられる。また「画素の種類」とは、ＣＣＤの画素の色情報に対応した色フィルタの種類のことをいう。画素の種類には、一例として、原色フィルタを使用する場合には、赤、緑、青の色フィルタの種類が、補色フィルタを使用する場合には、シアン、マゼンタ、黄、緑の色フィルタの種類が挙げられる。画素の種類（例えば、シアン、マゼンタ、黄、緑の色フィルタ）ごとに、複数の補正光源色（例えば、白、赤、緑、青など）が選択される。選択された複数の補正用光源色は、補正用光源色照射部にて利用される。
【００１３】
（補正用光源色照射部）
「補正用光源色照射部」は、補正用光源色選択部にて選択された補正用光源色をＣＣＤに照射するように構成されている。また照射される補正用光源色の光強度は、自由に設定できるように構成されている。照射された補正用光源色は、出力差算出部にて利用される。
【００１４】
（出力差算出部）
「出力差算出部」は、補正用光源色照射部にて照射された補正用光源色に基づいて、分割読出ブロック間での出力差を補正用光源色ごとに算出するように構成されている。画素用出力値の出力差は、第一次補正近似直線群情報生成部にて利用される。
ここで「分割読出」とは、ＣＣＤの受光部を複数のブロックに分割し、これに対応して垂直転送部、水平転送部も複数のブロックに分割して画素用出力値（後述する）を出力することをいう。なお縦方向のみの分割の場合には、垂直転送部は分割される必要はなく、また横方向のみの分割の場合には、水平転送部は分割される必要はない。分割には、一例として、２分割、３分割、４分割、・・・などが挙げられる。ここで分割にする目的の一つは、ＣＣＤの画素数が多い場合にも、１フレーム分（あるいは１フィールド分）の画素用出力値を所定の時間内に転送できるようにするためである。例えば２分割のＣＣＤの場合を考えてみる。受光部を左右の２ブロックに分割し、これに対応して水平転送部も左右の２ブロックに分割することによって、１ラインの画素用出力値を左ブロックの画素用出力値と右ブロックの画素用出力値とに分割して出力することができる。この水平転送部が２ブロックのＣＣＤは、画素数が同数で水平転送部が１ブロックのＣＣＤ（受光部および水平転送部が２分割されていないＣＣＤ）に較べて、略半分の時間で転送を終了することができる。
【００１５】
また「分割読出ブロック間での出力差」とは、複数ブロック間に生じる画素用出力値のレベル差のことをいう。これらのレベル差は、主に、画素用出力値が出力される信号経路が異なることによって生じる。このため、補正をしない場合には、画素用出力値を再生・表示すると、１画像中の複数ブロック間において輝度が異なり、画質が劣化してしまう。そこで、本件発明では、複数ブロックの画素用出力値を補正することによって、複数ブロック間に生じる画素用出力値のレベル差を補償している。
【００１６】
次に、画素用出力値について説明する。「画素用出力値」とは、画像を表示する表示装置を構成する画素に出力される信号の値のことをいう。画素用出力値は、多分割読出ＣＣＤを構成する画素（受光素子）単位の値であってもよいし、複数の画素（受光素子）の画素用出力値に演算（例えば足し算、引き算など）を施して得た値であってもよい。例えば、補色フィルタで使用した４種類の画素Ｃｙ、Ｍｇ、Ｙｅ、Ｇの画素用出力値を、Ｃ１：Ｍｇ＋Ｙｅ、Ｃ２：Ｇ＋Ｃｙ、Ｃ３：Ｍｇ＋Ｃｙ、Ｃ４：Ｇ＋Ｙｅの画素用出力値に変換してから補正処理を行ってもよいし、補色フィルタで使用した４種類の画素Ｃｙ、Ｍｇ、Ｙｅ、Ｇの画素用出力値を、原色の３種類の画素Ｒ、Ｇ、Ｂの画素用出力値に変換してから補正処理を行ってもよい。
【００１７】
（第一次補正近似直線群情報生成部）
「第一次補正近似直線群情報生成部」は、第一次補正近似直線群情報を生成するように構成されている。ここで「第一次補正近似直線群情報」とは、一の本番用補正近似直線群情報を生成するために利用される直線群に関する情報のことをいう。第一次補正近似直線群情報は、出力差算出部で算出された出力差に基づいて生成され、補正用光源色ごとに複数生成される。例えば、原色フィルタを使用する場合には、全画素はＲ（Ｒｅｄ：赤）、Ｇ（Ｇｒｅｅｎ：緑）、Ｂ（Ｂｌｕｅ：青）の３種類の繰り返しで構成されているので、ＲＧＢの３種類あるいはＲＧＢの組み合わせについて複数の第一次補正近似直線群情報が生成される。また、補色フィルタを使用する場合には、全画素はＣｙ（Ｃｙａｎ：シアン、Ｇｒｅｅｎ＋Ｂｌｕｅ）、Ｍｇ（Ｍａｇｅｎｔａ：マゼンタ、Ｂｌｕｅ＋Ｒｅｄ）、Ｙｅ（Ｙｅｌｌｏｗ：黄、Ｇｒｅｅｎ＋Ｒｅｄ）、Ｇ（Ｇｒｅｅｎ：）の４種類の繰り返しで構成されているので、ＣｙＭｇＹｅＧの４種類あるいはＣｙＭｇＹｅＧの組み合わせについて複数の第一次補正近似直線群情報が生成される。なお、第一次補正近似直線群情報は、まず分割された基準となるブロックの中央画素領域の画素用出力値の平均値と、他のブロックの中央画素領域の画素用出力値の平均値の出力差を画素の種別ごとに算出し、補正用光源色の照射強度を変化させることにより生成される。第一次補正近似直線群情報は、本番用補正近似直線群情報生成部にて利用される。
【００１８】
（第一次補正近似直線群情報の生成方法）
以下に、第一次補正近似直線群情報を生成する方法について説明する。以下簡単のために、多分割読出ＣＣＤの全画素を左右に２分割する場合の第一次補正近似直線群情報について説明する。なお、本明細書においては、特に断らない限り、特定の画素を表現する場合には大文字の英数字を、その画素に対応する画素用出力値を表現する場合には、その画素に対応する小文字の英数字を用いるものとする。また本明細書においては、画素の種類は、カッコで括って表記するものとする。例えば、画素Ａなどの表記は、画素位置を特定するための画素がＡであることを示し、ａなどの表記は、画素Ａの画素用出力値あるいは画素の種類がＡの画素用出力値がａであることを示している。また、画素（Ａ１）などの表記は、画素の種類がＡ１であることを示しているものとする。さらに画素Ａ（Ａ１）など表記は、画素Ａの種類がＡ１であることを示しているものとする。
図６は、２分割ＣＣＤの概念の一例を説明するための図である。２分割ＣＣＤ（０６００）は、左のＬ−ＣＣＤ（０６０１）と右のＲ−ＣＣＤ（０６０２）とに左右２分割されている。また２分割ＣＣＤの全画素は、一例として、（Ａ１）、（Ａ２）、（Ａ３）、（Ａ４）の４種類の画素によって構成されているものとする。つまり４種類の画素（Ａ１）、（Ａ２）、（Ａ３）、（Ａ４）で一つの色を表現するものとする。ここで２分割ＣＣＤの中央部分の画素領域は、左中央画素領域０６０３と右中央画素領域０６０４に分割される。左中央画素領域と右中央画素領域は、それぞれ４種類の画素（Ａ１）、（Ａ２）、（Ａ３）、（Ａ４）を有している。第一次補正近似直線群情報の生成にあたっては、まず左中央画素領域と右中央画素領域の画素用出力値を画素の種別ごとに測定する。例えば、左中央画素領域と右中央画素領域の画素（Ａ１）の画素用出力値の平均値を計算し、両者の差分を算出する。そして画素（Ａ１）に照射する補正用光源色の照射強度を変化させることで、横軸に画素用出力値の平均値、縦軸に左右ブロック間の画素用出力値のゲイン差をプロットしていくことにより、画素（Ａ１）の第一次補正近似直線群情報が生成される。上記の動作が、補正に使用される複数の色（補正用光源色）の被写体分繰り返されることにより、画素（Ａ１）の複数の第一次補正近似直線群情報が生成される。さらに以上の動作を他の種類の画素（Ａ２）、（Ａ３）、（Ａ４）ごとに行うことにより、４種類の画素（Ａ１）、（Ａ２）、（Ａ３）、（Ａ４）についての複数の第一次補正近似直線群情報が生成される。
図７は、第一次補正近似直線群情報の生成方法の一例を説明するための図である（２分割ＣＣＤの場合）。横軸を画素用出力値、縦軸を左右画素間の画素用出力値のゲイン差としている。まず補正に使用する特定色（補正用光源色）の被写体からの画素用出力値をＬ１からはじめてＬ２、Ｌ３、Ｌ４と大きくしていく。画素用出力値を変化させていくにつれて左右ゲイン差がＧ１、Ｇ２、Ｇ３、Ｇ４と変化していく。そしてＬ１とＧ１が交わる点をＰ１とする（Ｐ２、Ｐ３、Ｐ４についても同様）。点Ｐ１、Ｐ２、Ｐ３、Ｐ４を直線で結べば第一次補正近似直線群情報が生成される。第一次補正近似直線群情報はメモリに格納される。その他の補正に使用する色（補正用光源色）についても同様に第一次補正近似直線群情報が生成される。
図８は、例えば、画素（Ａ１）についての第一次補正近似直線群情報の一例を示しており、補正に使用する複数の色（補正用光源色：白、赤、緑、青）の第一次補正近似直線群情報が含まれている。他の種類の画素（Ａ２）、（Ａ３）、（Ａ４）についても同様に複数の第一次補正近似直線群情報が生成される。
なお、本件発明においては、左中央画素領域と右中央画素領域の大きさは自由に設定することができる。また、本件発明においては、第一次補正近似直線群情報の生成に利用される画素の領域は、中央部分に限定されるものではない。つまり、左右で分離された配置であってもよい。また、第一次補正近似直線群情報の生成に利用される画素の領域は、第一次補正近似直線群情報を生成するのに最低限の画素の領域（例えば、４種類の画素（Ａ１）、（Ａ２）、（Ａ３）、（Ａ４）を使用する場合には、左右４画素ずつ）であってもよいが、複数の画素を使用することにより、ある程度ならして平均値をとったほうが好ましい。
【００１９】
（本番用補正近似直線群情報生成部）
「本番用補正近似直線群情報生成部」は、第一次補正近似直線群情報生成部にて生成された複数の第一次補正近似直線群情報に基づいて画素の種類ごとに一の本番用補正近似直線群情報を生成する。ここで「本番用補正近似直線群情報」とは、被写体撮影本番用に利用される補正近似直線群情報のことをいう。以下に、複数の第一次補正近似直線群情報に基づいて画素の種類ごとに一の本番用補正近似直線群情報を生成する方法について述べる。一の本番用補正近似直線群情報の生成には、一例として、色成分（キャリア成分）の比が用いられる。例えば４種類の画素（Ａ１）、（Ａ２）、（Ａ３）、（Ａ４）を使用する場合には、上述の比ａ１／ａ２、ａ３／ａ４が利用される。これはＣＣＤの特性および、アナログ回路のばらつきによるブロック間の差がキャリア成分の比に近似的に比例しているという実験結果から決定されたものである。以下、図を用いて、本番用補正近似直線群情報の生成方法を説明する。
図９は、本番用補正近似直線群情報の概念の一例を説明するための図である。簡単のため、画素の種類Ａ１の場合について、赤と緑の第一次補正近似直線群情報から一の本番用補正近似直線群情報を生成する場合を考える。図９において、画素用出力値ａ１における赤と緑の第一次補正近似直線群情報の画素用出力値の左右ゲイン差がそれぞれＧ１、Ｇ２であることが読み取れる。このときの本番用補正近似直線群情報の画素用出力値の左右ゲイン差Ｇ３は、一例として、（Ｇ１＋Ｇ２）／２と求められる。この操作を画素用出力値ａ１を変化させながら、プロットしていくことにより、図９に示すような、画素（Ａ１）の一の本番用補正近似直線群情報が生成される。他の種類の画素（Ａ２）、（Ａ３）、（Ａ４）についても同様に本番用補正近似直線群情報が生成される。なお、上記Ｇ３の算出にあたっては、画素用出力値に基づいて複数の第一次補正近似直線群情報を利用して計算することもできる。ここで「画素用出力値に基づいて」とは、第一次補正近似直線群情報の生成に使用した画素において、自身（着目する画素のことをいう）の画素のみに限定されず、自身と自身に近接する近接画素の画素用出力値に所定の演算処理を行った結果の値を含んでもよいという趣旨である。また、ある画素Ａに着目した場合の「近接画素」とは、Ａの隣接または、数画素左右、数画素上下、数画素斜め方向に離れた画素のことをいう。そして「所定の演算処理」には、自身と近接画素の画素用出力値の比、自身と近接画素の画素用出力値の和・差の比などが挙げられる。例えば、自身の画素をＡ（画素用出力値をａ）とし、その近接画素をＢ（画素用出力値をｂ）とすると、所定の演算処理には、一例として、ａ／ｂ、ｂ／ａ、（ａ＋ｂ）／（ａ−ｂ）、（ａ−ｂ）／（ａ＋ｂ）などが挙げられる。
図１０は、近接画素の概念の一例を説明するための図である。ＣＣＤ（１０００）の画素は、４種類の画素（Ａ１）、（Ａ２）、（Ａ３）、（Ａ４）で構成されているものとする。４種類の画素（Ａ１）、（Ａ２）、（Ａ３）、（Ａ４）が色表現の単位１００１になっており、この４種類の画素が繰り返し配列されて全画素を構成している。今、所定の演算処理として画素用出力値ａ１とａ２の比ａ１／ａ２を使用するものとする。着目する画素を着目画素１００２（Ａ１）とすると、近接画素は、一例として、図１０の丸で囲んだ画素（Ａ２）となる。近接画素１００３（Ａ２）は、着目画素１００２（Ａ１）に隣接する画素である。それ以外の近接画素、例えば、近接画素１００４（Ａ２）などは、着目画素１００２（Ａ１）に隣接しない画素である。所定の演算処理として画素用出力値ａ３とａ４の比ａ３／ａ４を使用する場合にも、近接画素の考え方は同様である。
実際の補正は、画素の種類ごとに生成された画素の種類ごとに共通の一の本番用補正近似直線群情報を利用して、全画素の画素用出力値から補正値を算出することにより、行われる。
【００２０】
<処理の流れ>
以下に、本実施形態の処理の流れについて説明する。なお、以下に示す処理の流れは、方法、計算機に実行させるためのプログラム、またはそのプログラムが記録された読み取り可能な記録媒体として実施されうる（これは、本明細書のその他の処理の流れについても同様である）。
図４は、本実施形態の処理の流れの一例である。
まず、多分割読出ＣＣＤの補正近似直線群情報生成方法において、補正用光源色選択ステップは、ＣＣＤの画素の種類に応じて複数の補正用光源色を選択する（ステップＳ０４０１）。次に、補正用光源色照射ステップは、補正用光源色選択ステップにて選択された補正用光源色をＣＣＤに照射する（ステップＳ０４０２）。次に、第一次補正近似直線群情報生成ステップは、補正用光源色照射ステップにて照射された補正用光源色に基づいて、分割読出ブロック間での出力差を画素の種類ごとに補正するための第一次補正近似直線群情報を生成する（ステップＳ０４０３）。次に、本番用補正近似直線群情報生成ステップは、第一次補正近似直線群情報生成ステップにて生成された複数の第一次補正近似直線群情報に基づいて画素の種類ごとに一の本番用補正近似直線群情報を生成する（ステップＳ０４０４）。
【００２１】
<実施形態１の効果の簡単な説明>
本実施形態の多分割読出ＣＣＤの補正近似直線群情報生成方法・装置によれば、装置ごとに複数の第一次補正近似直線群情報を生成することができる。そして生成された複数の第一次補正近似直線群情報から、最適な一の本番用補正近似直線群情報が生成される。したがって、撮影時に、デジタルカメラなどのＣＣＤ全画素について、一の本番用補正近似直線群情報を利用して、画素の種類ごとに補正を行うことができる。
【００２２】
<<実施形態２>>
以下に、実施形態２について説明する。
<実施形態２の概念>
以下に本実施形態の概念について説明する。
図１７は、本実施形態の概念の一例を示す図である。工場出荷前の調整段階において、多分割読出ＣＣＤの補正処理装置製造装置１７０１は、デジタルカメラなどの多分割ＣＣＤ１７０２に対して補正用光源色（例えば赤、緑、青など）を照射し、画素用出力値をＣＣＤから取得する。次に取得した分割ブロック間の画素用出力値の出力差に基づいて、複数（例えば赤、緑、青など）の第一次補正近似直線群情報を生成する。次に、複数（例えば赤、緑、青など）の第一次補正近似直線群情報から最適な一の本番用補正近似直線群情報を生成し、多分割読出ＣＣＤの補正処理装置の記憶部に保存する。なお、複数の第一次直線群情報から一の本番用補正近似直線群情報を生成する目的は、実施形態１と同様であるので説明を省略する。
【００２３】
<構成要件の明示>
以下に、本実施形態の構成要件について説明をする。
図１８は、本実施形態の機能ブロック図の一例を示す図である。本実施形態の多分割読出ＣＣＤの補正処理装置製造装置１８００は、ＣＣＤ準備部１８０１と、補正用光源色選択部１８０２と、補正用光源色照射部１８０３と、第一次補正近似直線群情報生成部１８０４と、本番用補正近似直線群情報生成部１８０５と、保存部１８０６）と、からなる。
【００２４】
<構成要件の説明>
以下に、本実施形態の構成要件について説明する。
【００２５】
（補正用光源色選択部）、（補正用光源色照射部）、（第一次補正近似直線群情報生成部）、（本番用補正近似直線群情報生成部）
「補正用光源色選択部」、「補正用光源色照射部」、「第一次補正近似直線群情報生成部」、「本番用補正近似直線群情報生成部」については、実施形態１と同様なので説明を省略する。
【００２６】
（ＣＣＤ準備部）
「ＣＣＤ準備部」は、補正処理装置が補正すべきＣＣＤを準備する。準備されたＣＣＤは、補正用光源色照射部に出力されるなどして利用される。ここで「ＣＣＤ」については、実施形態１と同様なので説明を省略する。
【００２７】
（保存部）
「保存部」は、本番用補正近似直線群情報生成部にて得られた本番用補正近似直線群情報をＣＣＤと関連付けて補正処理装置を構成すべき記憶部に保存する。ここで「記憶部」には、ＥＥＰＲＯＭなどの不揮発性メモリなどが該当する。また「ＣＣＤと関連付けて」とは、ＣＣＤの各画素が補正に利用する本番用補正近似直線群情報を、各画素と関連付けて、という趣旨である。
【００２８】
（実施例１）
以下に本実施形態の実施例１について説明する。なお、実施例１においては、本実施形態の製造方法によって製造される２分割読出ＣＣＤ補正処理装置について説明している。
図１２は本実施例の２分割読出ＣＣＤ補正処理装置の全体ブロック図の一例を示す図である。本実施例の２分割読出ＣＣＤ補正処理装置は、２分割読み出し方式ＣＣＤ１２０１と、２ブロックＣＤＳ（Ｃｏｒｒｅｌａｔｅｄ  Ｄｏｕｂｌｅ  Ｓａｍｐｌｉｎｇ：相関二重サンプル）／ＡＤＣ（Ａｎａｌｏｇ  Ｄｉｇｉｔａｌ  Ｃｏｎｖｅｒｓｉｏｎ：ＡＤ変換）回路１２０５と、ゲイン検出回路１２０６と、不揮発性メモリ（ＥＥＰＲＯＭ等）１２０７と、制御用マイコン１８０８と、ゲイン補正回路１２０９と、画素並替回路１８１０と、ＣＣＤ信号処理回路１８１１と、を有する。
また、２分割読み出し方式ＣＣＤ１２０１は、受光素子（フォトダイオード）、垂直転送ＣＣＤ１２０２、水平転送ＣＣＤ１２０３、１２０４により構成されている。被写体の撮像光は、受光素子１２０２により光電変換され電荷として蓄積される。この電荷はあるタイミングで垂直転送ＣＣＤ１２０２に移される。垂直転送ＣＣＤ１２０２は左右二つに分割されており左半分の垂直転送ＣＣＤは左半分の水平転送ＣＣＤ１２０３へ、右半分の垂直転送ＣＣＤは右半分の水平転送ＣＣＤ１２０４へ、一ラインごとのタイミングで送られる。水平転送ＣＣＤ１２０３、１２０４は転送された電荷をそれぞれ左右へ転送をおこない、左右のアンプを介して電圧信号として出力される。出力された信号は２ブロックＣＤＳ／ＡＤＣ回路１２０５に送られデジタル化される。ここで、Ａ／Ｄ変換され、２ブロック別々に読み出された信号はレベル差を生じる。このレベル差はＣＣＤの内部およびＡ／Ｄ変換回路により生じ、受光素子の出力レベルに依存することが知られている（特開２００２−３２０４１２）。また、色成分（キャリア成分、ある種類の画素の画素用出力値）によってもその差が変化することが実験により確認された。また基板の特性によっても変わることも確認されている。ここまでは本番用補正近似直線群情報作成時、および通常撮影時において動作は同じである。
次に、本番用補正近似直線群情報作成時について説明する。本番用補正近似直線群情報作成時には、まず複数の第一次補正近似直線群情報を作成するために、できるだけキャリア成分の大きい（例えば、赤、緑、青など）一様な被写体（例えばスクリーンなど）を撮影する。ここでは３色（例えば、赤、緑、青など）を撮影してそこから、画素（Ｃ１：Ｍｇ＋Ｙｅ）、（Ｃ２：Ｇ＋Ｃｙ）、（Ｃ３：Ｍｇ＋Ｃｙ）、（Ｃ４：Ｇ＋Ｙｅ）それぞれの第一次補正近似直線群情報を作成する。今回の例では赤、青、緑を撮影し、画素（Ｃ１）、（Ｃ２）は赤と緑の第一次補正近似直線群情報から、画素（Ｃ３）、（Ｃ４）は青と緑の第一次補正近似直線群情報から、画素の種類ごとに一の本番用補正近似直線群情報を作成する。キャリア成分（後述する）の比を用いて本番用補正近似直線群情報が求められる。この本番用補正近似直線群情報を不揮発性メモリに記録しておき、通常撮影時においては、制御用マイコン１２０８は撮影前にゲイン補正回路に対して不揮発性メモリに記録してある本番用補正近似直線群情報をゲイン補正回路に設定する。
（第一次補正近似直線群情報について）
次にキャリア成分について説明する。ここでは例として補色のフィルタを用いたＣＣＤについて説明する。
図１３、１４は、補色フィルタの配列の一例を示す図である。通常、補色フィルタは図１３のような配列で並べられており、動画撮影時には垂直方向の画素用出力値が加算され図１４の配列のような形で出力される。つまりあるラインについては画素（Ｃ１：Ｍｇ＋Ｙｅ）の画素用出力値ｃ１と画素（Ｃ２：Ｇ＋Ｃｙ）の画素用出力値ｃ２が交互に出力され、次のラインでは画素（Ｃ４：Ｇ＋Ｙｅ）の画素用出力値ｃ４、画素（Ｃ３：Ｍｇ＋Ｃｙ）の画素用出力値ｃ３が交互に出力される。静止画撮影時にはあるフィールドでは（Ｍｇ）の画素用出力値ｄ１、（Ｇ）の画素用出力値ｄ２が交互に、次のフィールドでは（Ｙｅ）の画素用出力値ｄ４、（Ｃｙ）の画素用出力値ｄ３が交互に出力される。キャリア成分が少ない（例えば、白など）被写体を撮影した場合、これらの水平方向の比が１に近くなる。たとえば動画撮影時ではｃ１／ｃ２＝１、ｃ３／ｃ４＝１というようになる。（これは原色のＣＣＤにおいても同様で原色の場合はあるラインが（Ｒ）の画素用出力値ｅ１、（Ｇ）の画素用出力値ｅ２が交互に、次のラインは（Ｇ）の画素用出力値ｅ４、（Ｂ）の画素用出力値ｅ３が交互に出力される。キャリア成分が少ない被写体ではｅ１／ｅ２＝１、ｅ３／ｅ４＝１となる。）このとき図１２のＣＣＤ中央領域１２１３の左右データ平均値（例えば、画素（Ｃ１）の画素用出力値ｃ１、（Ｃ２）の画素用出力値ｃ２、（Ｃ３）の画素用出力値ｃ３、（Ｃ４）の画素用出力値ｃ４のそれぞれについての平均値）から、左右のゲイン差（例えば、ＣＣＤ中央領域の左右の画素（Ｃ１）、（Ｃ２）、（Ｃ３）、（Ｃ４）のそれぞれの画素用出力値ｃ１、ｃ２、ｃ３、ｃ４）についての平均値のゲイン差）を求め、これから補正用の第一次補正近似直線群情報を作成する（例えば、画素（Ｃ１）、（Ｃ２）、（Ｃ３）、（Ｃ４）のそれぞれについて第一次補正近似直線群情報を作成）。また、このときの水平方向キャリア成分の比についても記録する。すなわちキャリア成分が大きい被写体を撮影した場合について、撮影光量を変化させながら測定し、それぞれのラインの画素用出力値の比ｃ１／ｃ２、ｃ３／ｃ４を算出する。なお、ラインの比ｃ１／ｃ２、ｃ３／ｃ４を算出するのに使用するｃ１、ｃ２、ｃ３、ｃ４の値は、ＣＣＤ中央領域の左右どちらか基準とするｃ１、ｃ２、ｃ３、ｃ４の値の平均値を使用する。
【００２９】
（本番用補正近似直線群情報について）
次に、本番用補正近似直線群情報の計算について説明する。本実施例では、被写体として、複数の色で検出した結果を用いて、補正用の本番用補正近似直線群情報を求める。ここで複数色の被写体から画素用出力値を取得する場合を考えてみる。図１２のゲイン検出回路（１２０６）で検出される画素用出力値が同一であるときには、画素（Ｃ１）を例にとると、ＣＣＤ信号処理（１２１１）から出力されるＹＣｒＣｂの左右ゲイン差は、被写体として他の色に比べ赤が一番大きい。つまり、画素（Ｃ１）については、赤が左右ゲイン差に一番影響を与える。この一番影響のある色について、本番用補正近似直線群情報を求める際に、比率を大きく取る。図９で示すように、キャリア成分の大きい色として、被写体が赤の場合の第一次補正近似直線群情報と、被写体が緑の第一次補正近似直線群情報を求めておき、この場合、左右ゲイン差に一番影響のある赤に近くなるように、本番用補正近似直線群情報を求める。このようにして、画素（Ｃ１）から（Ｃ４）まで、それぞれの画素の種類について、最終出力段のＹＣｒＣｂのレベルで左右ゲイン差を小さくするように本番用補正近似直線群情報を求める。厳密には、いくつかの色で本番用補正近似直線群情報から離れてしまうが、影響の小さい色であるため、総合的には左右ゲイン差レベルは小さくすることが可能である。こうすると、今までのように白色等単色で検出を行ってきた方法に比べて、左右ゲイン差の誤差を低減する事が可能である。
また、図１２のゲイン検出回路（１２０６）にて、左右のノイズ振幅を検出し、左右ブロックのノイズ振幅に違いがある場合、ゲイン補正回路（１２０９）において、ノイズを加算して、左右ブロックの入力信号の振幅を揃えるように調整することにより、左右ゲイン差の補正を行うことも可能である。
【００３０】
<処理の流れ>
以下に、本実施形態の処理の流れについて説明する。
図１１は、本実施形態の処理の流れの一例である。
まず、多分割読出ＣＣＤの補正処理装置製造方法において、ＣＣＤ準備ステップは、補正処理装置が補正すべきＣＣＤを準備する（ステップＳ１１０１）。次に、補正用光源色選択ステップは、ＣＣＤの画素の種類に応じて複数の補正用光源色を選択する（ステップＳ１１０２）。次に、補正用光源色照射ステップは、補正用光源色選択ステップにて選択された補正用光源色をＣＣＤに照射する（ステップＳ１１０３）。次に、第一次補正近似直線群情報生成ステップは、補正用光源色照射ステップにて照射された補正用光源色に基づいて、分割読出ブロック間での出力差を画素の種類ごとに補正するための第一次補正近似直線群情報を生成する（ステップＳ１１０４）。次に、本番用補正近似直線群情報生成ステップは、第一次補正近似直線群情報生成ステップにて生成された複数の第一次補正近似直線群情報に基づいて画素の種類ごとに一の本番用補正近似直線群情報を生成する（ステップＳ１１０５）。次に、保存ステップは、本番用補正近似直線群情報生成ステップにて得られた本番用補正近似直線群情報をＣＣＤと関連付けて補正処理装置を構成すべき記憶部に保存する（ステップＳ１１０６）。
【００３１】
<実施形態２の効果の簡単な説明>
本実施形態の多分割読出ＣＣＤの補正処理装置製造方法・装置によれば、装置ごとに複数の第一次補正近似直線群情報を生成することができる。そして生成された複数の第一次補正近似直線群情報から、最適な一の本番用補正近似直線群情報が生成される。したがって、撮影時に、デジタルカメラなどのＣＣＤ全画素について、一の本番用補正近似直線群情報を利用して、画素の種類ごとに補正を行うことができる。
【産業上の利用可能性】
【００３２】
本発明は、多分割読出ＣＣＤの補正近似直線群情報生成方法・装置及び多分割読出ＣＣＤの補正処理装置製造方法・装置に利用可能である。
【図面の簡単な説明】
【００３３】
【図１】実施形態１の補正近似直線群情報の説明図
【図２】実施形態１の補正近似直線群情報の概念図
【図３】実施形態１のＣＣＤ画素と補正後の値との対応関係の一例を示す図
【図４】実施形態１の処理フロー図
【図５】実施形態１のＣＣＤの概念図
【図６】実施形態１の２分割ＣＣＤの概念図
【図７】実施形態１の第一次補正近似直線群情報を説明するための図
【図８】実施形態１の複数の第一次補正近似直線群情報を説明するための図
【図９】実施形態１の本番用補正近似直線群情報を説明するための図
【図１０】実施形態１の近接画素を説明するための図
【図１１】実施形態２の処理フロー図
【図１２】実施形態２の実施例１の具体的機能ブロック図
【図１３】実施形態２の実施例１の補色フィルタの配列その１を示す図
【図１４】実施形態２の実施例１の補色フィルタの配列その２を示す図
【図１５】実施形態１の概念図
【図１６】実施形態１の機能ブロック図
【図１７】実施形態２の概念図
【図１８】実施形態２の機能ブロック図
【符号の説明】
【００３４】
１６０１  補正用光源色選択部
１６０２  補正用光源色照射部
１６０３  出力差算出部
１６０４  第一次補正近似直線群情報生成部
１６０５  本番用補正近似直線群情報生成部
【図１】
2006166080.tif 000003
【図２】
2006166080.tif 000004
【図３】
2006166080.tif 000005
【図４】
2006166080.tif 000006
【図５】
2006166080.tif 000007
【図６】
2006166080.tif 000008
【図７】
2006166080.tif 000009
【図８】
2006166080.tif 000010
【図９】
2006166080.tif 000011
【図１０】
2006166080.tif 000012
【図１１】
2006166080.tif 000013
【図１２】
2006166080.tif 000014
【図１３】
2006166080.tif 000015
【図１４】
2006166080.tif 000016
【図１５】
2006166080.tif 000017
【図１６】
2006166080.tif 000018
【図１７】
2006166080.tif 000019
【図１８】
2006166080.tif 000020